(57)【要約】【課題】複数の収納部内それぞれに照明手段を設けることなく、複数の収納部内を明るくすることができ、照明手段に係る電力の省電力化を図ることができる収納家具を提供すること。【解決手段】仕切板７によって仕切られた複数の収納部５，１０が設けられた収納家具１であって、少なくとも１つの収納部１０に、導光板で形成された棚板１１が配置されるとともに、この棚板１１が設けられた棚板収納部１０を照明する照明手段１３が、棚板１１の側端面１１ｃにおける少なくとも一部を照明可能に設けられ、棚板収納部１０と他の収納部５とを仕切る仕切板７には、棚板１１内の光を他の収納部５に導光させる導光部７ａが設けられている。【選択図】図５
2008055060.tif 000002
【特許請求の範囲】
【請求項１】
仕切板によって仕切られた複数の収納部が設けられた収納家具であって、
前記複数のうち少なくとも１つの収納部に、導光板で形成された棚板が配置されるとともに、該棚板が設けられた棚板収納部を照明する照明手段が、該棚板の側端面における少なくとも一部を照明可能に設けられ、前記棚板収納部と他の収納部とを仕切る仕切板には、前記棚板内の光を前記他の収納部に導光させる導光部が設けられていることを特徴とする収納家具。
【請求項２】
前記導光部は、前記仕切板を貫通する貫通孔であり、該貫通孔内に前記棚板の端部が差し込まれていることを特徴とする請求項１に記載の収納家具。
【請求項３】
前記導光部は、前記仕切板の少なくとも一部に設けられた透光性部材にて形成されていることを特徴とする請求項１に記載の収納家具。
【請求項４】
前記棚板の側端面に、光拡散部が形成されていることを特徴とする請求項１ないし３のいずれかに記載の収納家具。
【請求項５】
前記棚板収納部に隣接する他の収納部にも前記棚板が配置され、前記棚板収納部に配置される棚板と他の収納部に配置される棚板とが段違いになるように配置されていることを特徴とする請求項１ないし４のいずれかに記載の収納家具。
【請求項６】
前記棚板収納部には、少なくとも２枚以上の棚板が設けられ、単一の照明手段が、前記少なくとも２枚以上の棚板の側端面に向かって発光していることを特徴とする請求項１ないし５のいずれかに記載の収納家具。
【発明の詳細な説明】
【技術分野】
【０００１】
本発明は、仕切板によって仕切られた複数の収納部が設けられた収納家具に関する。
【背景技術】
【０００２】
従来、導光板で形成された棚板の上面に光反射層を設けるとともに、棚板の端面にランプ（照明手段）を設け、そのランプ光を棚板の端面から入射させることで、棚板の下面から均一な光として照射するようにして、棚板の下方の作業空間（収納部）を明るくする照明器具付棚板がある（例えば、特許文献１参照）。
【０００３】
また、棚（仕切板）で区画された複数の収納凹部（収納部）のうち、１つの収納凹部の後部の内面に、ランプ（照明手段）を装着し、該ランプが設けられた収納凹部内を照明する収納家具がある（例えば、特許文献２参照）。
【０００４】
【特許文献１】実開平６−３８１１７号公報（第５頁、第１図）
【特許文献２】実開平６−６２８３０号公報（第５頁、第１図）
【発明の開示】
【発明が解決しようとする課題】
【０００５】
しかしながら、特許文献１に記載の照明器具付棚板にあっては、棚板の下方のみにしかランプ光が照射されないので、下方に配置される作業空間（収納部）の広さに応じて棚板を大きくしたり、棚板の数を増やさなければならず、それに応じてランプ（照明手段）を大きくしたり、ランプの数を増やす必要があり、照明器具付棚板の製造コストが嵩むとともに、照明のための消費電力が増えるという問題がある。
【０００６】
また、特許文献２に記載の収納家具にあっては、ランプ（照明手段）が設けられた収納凹部（収納部）を明るくさせることはできるが、棚（仕切板）によってランプ光が遮蔽されるため、その他の収納凹部には、ランプ光が届かず、各々の収納凹部を明るくさせるためには、各々の収納凹部にランプを設ける必要があり、収納家具の製造コストが嵩むとともに、照明のための消費電力が増えるという問題がある。
【０００７】
本発明は、このような問題点に着目してなされたもので、複数の収納部内それぞれに照明手段を設けることなく、複数の収納部内を明るくすることができ、照明手段に係る電力の省電力化を図ることができる収納家具を提供することを目的とする。
【課題を解決するための手段】
【０００８】
前記課題を解決するために、本発明の請求項１に記載の収納家具は、
仕切板によって仕切られた複数の収納部が設けられた収納家具であって、
前記複数のうち少なくとも１つの収納部に、導光板で形成された棚板が配置されるとともに、該棚板が設けられた棚板収納部を照明する照明手段が、該棚板の側端面における少なくとも一部を照明可能に設けられ、前記棚板収納部と他の収納部とを仕切る仕切板には、前記棚板内の光を前記他の収納部に導光させる導光部が設けられていることを特徴としている。
この特徴によれば、導光板で形成された棚板を媒介して導かれる光が、棚板収納部だけでなく、仕切板の導光部を介して隣接する他の収納部に届くようになるため、仕切板により仕切られた複数の収納部内それぞれに照明手段を設けることなく、棚板収納部を照明する照明手段のみで、隣接する他の収納部内を明るくすることができ、照明手段に係る電力の省電力化を図ることができる。
尚、ここでいう「棚板の側端面」とは、棚板における左右の両側端面のみならず、棚板の前端面や後端面を含む棚板の側周端面を示しており、照明手段は棚板の前端面、側端面、後端面のいずれかの面を照明可能に設けられていればよい。
【０００９】
本発明の請求項２に記載の収納家具は、請求項１に記載の収納家具であって、
前記導光部は、前記仕切板を貫通する貫通孔であり、該貫通孔内に前記棚板の端部が差し込まれていることを特徴としている。
この特徴によれば、仕切板によって棚板の端部を固定的に支持できるとともに、棚板の側端面から照射される光が仕切板によって遮蔽されることなく、隣接する収納部内に届くようになる。
【００１０】
本発明の請求項３に記載の収納家具は、請求項１に記載の収納家具であって、
前記導光部は、前記仕切板の少なくとも一部に設けられた透光性部材にて形成されていることを特徴としている。
この特徴によれば、棚板から外部に照射される光が、透光性部材で形成された仕切板の導光部を通過して隣接する収納部内に届くようになり、該光が仕切板によって遮蔽されることを防止できる。
【００１１】
本発明の請求項４に記載の収納家具は、請求項１ないし３のいずれかに記載の収納家具であって、
前記棚板の側端面に、光拡散部が形成されていることを特徴としている。
この特徴によれば、棚板の側端面から照射される光が光拡散部によって拡散するので、収納部全体を明るく照らすことができる。
【００１２】
本発明の請求項５に記載の収納家具は、請求項１ないし４のいずれかに記載の収納家具であって、
前記棚板収納部に隣接する他の収納部にも前記棚板が配置され、前記棚板収納部に配置される棚板と他の収納部に配置される棚板とが段違いになるように配置されていることを特徴としている。
この特徴によれば、棚板収納部の棚板の側端面から照射される光が、他の収納部の棚板の側端面により遮蔽されることなく、他の収納部内に届くようになる。
【００１３】
本発明の請求項６に記載の収納家具は、請求項１ないし５のいずれかに記載の収納家具であって、
前記棚板収納部には、少なくとも２枚以上の棚板が設けられ、単一の照明手段が、前記少なくとも２枚以上の棚板の側端面に向かって発光していることを特徴としている。
この特徴によれば、２枚以上の棚板に向かって発光して照らす単一のみの照明手段が設けられているため、単一である照明手段の設置手間やメンテナンスを簡便にできるとともに、２枚以上の棚板を効率よく照らすことができる。
【発明を実施するための最良の形態】
【００１４】
本発明に係る収納家具を実施するための最良の形態を実施例に基づいて以下に説明する。
【実施例１】
【００１５】
本発明の実施例を図面に基づいて説明すると、先ず図１は、実施例１におけるキッチンカウンタを示す斜視図であり、図２（ａ）は、棚板を示す平面図であり、図２（ｂ）は、棚板を示す側面図であり、図３は、図１におけるキッチンカウンタを示すＣ−Ｃ縦断側面図であり、図４は、図３における部分拡大側断面図であり、図５は、図１におけるキッチンカウンタを示すＤ−Ｄ縦断正面図である。以下、図１の紙面左下方側をキッチンカウンタの正面側（前方側）とし、図２の紙面上方側を棚板の正面側（前方側）とし、図３及び図４の紙面右方側をキッチンカウンタの正面側（前方側）として説明する。
【００１６】
図１の符号１は、本実施例における収納家具としてのキッチンカウンタであり、このキッチンカウンタ１は、天板２と底板９及び左右の外側板６，６とからなる箱状に形成されており、前面側及び後面側のどちらも使用できるいわゆるアイランド型カウンタである。
【００１７】
図１に示すように、キッチンカウンタ１は、前後方向にキッチン側Ａと収納側Ｂとに区別されており、キッチンカウンタ１内部における前後方向の略中央位置に、キッチンカウンタ１内部を区画する区画板８が設けられ、この区画板８は、その長手方向が左右を向くように配設されている。尚、キッチン側Ａには、開閉扉を備えた収納部や引出しや収納凹部などが設けられており（図示略）、キッチンカウンタ１の上面を構成する天板２には、シンク３、調理部２ａ及びコンロ４が設けられている。
【００１８】
また、収納側Ｂの左右両側には、天板２と底板９と区画板８と外側板６と仕切板７とにより仕切られた内部空間を有する複数の収納部５、５を夫々備え、両収納部５の前部には、外側板６及び仕切板７の前側辺に回動可能に枢支した観音扉式の開閉扉５ａが設けられている。
【００１９】
図１及び図３に示されるように、左右の両外側板６，６の対向面間における区画板８より手前側に、区画板８と略平行をなす支持板１２が設けられるとともに、この支持板１２と左右の両仕切板７，７とにより仕切られて収納凹部１０（収納部）が形成されている。
【００２０】
収納凹部１０内には、左右の両仕切板７，７の対向面間に２枚の棚板１１が配置され、棚板１１の後端部（後端面１１ｃ）が、支持板１２に略水平方向に設けられたスリット孔１２ａに貫通されて差し込まれることで棚板１１が支持されるとともに、棚板１１の左右の両側端部（側端面１１ｂ，１１ｂ）が、仕切板７，７に略水平方向に設けられた本実施例における導光部及び貫通孔としてのスリット孔７ａに貫通されて差し込まれることで棚板１１が支持される（図２参照）。尚、棚板１１，１１は、夫々上面１１ｆに収納物を載置できるように所定間隔で上下段を構成して設置されている。
【００２１】
収納凹部１０の前部には、特段の開閉扉等は設けておらず、前方が開放されており、キッチンカウンタ１を設置した室内の光により、棚板１１に載置した収納物を収納凹部１０の手前側から視認できるようになっている。但し、収納凹部１０の上方は天板２で被覆されているため、収納凹部１０の支持板１２側、即ち奥側は室内の光が十分差さず、手前側と比べて視認し難くなっている。
【００２２】
図２及び図３に示されるように、棚板１１は、内部に照光を導入させる本実施例における導光板としての透明性を備えるガラス板から構成されており、特に上面１１ｆ及び下面１１ｇは凹凸なく鏡面状に形成されている（図２（ｂ）参照）。また、棚板１１の後端面１１ｃは所定の傾斜を有するテーパ面として形成されている。
【００２３】
尚、本発明における導光板とは、一面から導光板（棚板１１）内部に光を入射されると、導光板の他面から外部に光を照射させることができる板材を示しており、本発明の導光板はガラス板に限られず、例えば、アクリル板若しくはプラスチック板等であってもよく、板の素材については特に限定されるものではない。
【００２４】
図２（ａ）に示すように、棚板１１の後端面１１ｃ（後端部）の左右両側には、段部１１ｅ，１１ｅが形成され、棚板１１の後端面１１ｃの左右幅が、前端面１１ａ左右幅と比べて幅狭になっているとともに、棚板１１の後端面１１ｃの左右幅が、スリット孔１２ａの左右幅とほぼ同じ幅になっている。棚板１１の後端面１１ｃ（後端部）をスリット孔１２ａに差し込んだ際には、段部１１ｅが支持板１２の前面側に当接される位置まで棚板１１が支持板１２に挿入されるようになっている。
【００２５】
また、棚板１１の左右両側端面１１ｂは、正面視で所定の曲率を有する略ラウンド形状に形成されている（図５部分拡大図参照）。この棚板１１の側端面１１ｂは、本実施例における光拡散部としての微細な凹凸を有する粗面として形成されている。この粗面は、側端面１１ｂに微細なドット状の凹凸部を形成することで構成してもよいし、側端面１１ｂにショットブラスティングやローレット加工を施すことで構成してもよい。
【００２６】
左右の両仕切板７，７と天板２、区画板８及び支持板１２で仕切られた、即ち支持板１２の裏面側において形成された中空部１５ａには、支持板１２に取り付けられた保持具１３ｂと、この保持具１３ｂ内部に配設されて複数の発光ダイオード（ＬＥＤ）が左右方向に並べられて単一の照明手段として形成された発光体１３ａと、から構成された照明具１３が設けられている。尚、後述するように、区画板８には、照明具１３による照光の少なくとも一部を反射する照明手段を構成する反射体２３〜２５が設けられている。更に尚、本発明の単一の照明手段とは、発光素子又は発光源が一つであることを意味するだけではなく、本実施例のように複数の発光素子又は発光源を一つの照明装置にまとめたものを含む。
【００２７】
この照明具１３は、その長手方向が左右方向に延設されるとともに、発光体１３ａに電力を供給するケーブル（図示略）の一端が接続され、天板２前面側に設けられたタッチ式のスイッチ１８をＯＮ／ＯＦＦさせることで、発光体１３ａの点灯及び消灯ができるようになっている（図１参照）。
【００２８】
図３及び図４に示されるように、上方の棚板１１は、テーパ面に形成された後端面１１ｃが上方を向くようにして、支持板１２のスリット孔１２ａに貫通して支持されている。また、下方の棚板１１は、上記テーパ面に形成された後端面１１ｃが下方を向くようにして、支持板１２のスリット孔１２ａに貫通して支持されている。尚、支持板１２の裏面側から棚板１１の後端面１１ｃまでの突出長は、上方の棚板１１と下方の棚板１１とで略同じ長さになるように形成されている。
【００２９】
照明具１３は、上方の棚板１１と下方の棚板１１の略中間の高さ位置において、発光体１３ａを支持板１２の後方側、即ち区画板８側に向くようにして、支持板１２の裏面に取り付けられている。このように取り付けられた照明具１３の発光体１３ａから照射された照光Ｋは、上下方向に所定の幅長を有する帯状を成し、区画板８に向けて略水平に照射されるように成っている。
【００３０】
次に、照明具１３の使用について説明すると、図１及び図３に示されるように、スイッチ１８をＯＮ操作することにより、照明具１３に電源が供給されて発光体１３ａが発光する。発光体１３ａは発光ダイオードであるため、前後方向に所定の幅長を有する帯状の照光Ｋは指向性を有し、拡散せずに一定方向に進行する性質を備えており、反射体２３〜２５によって反射されて棚板１１の後端面１１ｃに照射される。
【００３１】
反射体２３〜２５について詳述すると、先ず反射体２３〜２５を貼付する母材４２は、区画板８の前面側において左右方向に延設されており、照明具１３の取り付けられた高さ位置を中央高さ位置として、この中央高さ位置において支持板１２側に向けて膨出した膨出部４２ｅが設けられている。この膨出部４２ｅには、斜上方を向く傾斜面４２ａと、斜下方を向く傾斜面４２ｂとが形成されている。
【００３２】
また、母材４２には、上方の棚板１１における斜上方を向く後端面１１ｃの上方近傍においてこの後端面１１ｃと略平行を成す傾斜面４２ｃと、下方の棚板１１における斜下方を向く後端面１１ｃの下方近傍においてこの後端面１１ｃと略平行を成す傾斜面４２ｄとが形成されている。更に、反射体２３が、母材４２の傾斜面４２ａ、４２ｂを被覆するように貼付されており、同様に、反射体２４が傾斜面４２ｃに貼付され、反射体２５が傾斜面４２ｄに貼付されている。
【００３３】
発光体１３ａから区画板８に向けて略水平に発せられた照光Ｋは、その一部の照光Ｋ１が反射体２３により反射して上方に向けて進行するとともに、他の一部の照光Ｋ２が反射体２３により反射して下方に向けて進行する。
【００３４】
そして、上方に向けて進行した光Ｋ１は、反射体２４により反射して上方の棚板１１の後端面１１ｃに向けて略水平に進行し、支持板１２の前面側に向かって棚板１１内部を進入して、棚板１１の上面１１ｆ、下面１１ｇの両面を反射して屈折若しくは外部に向かって透過を繰り返しながら、棚板１１の上面１１ｆ、下面１１ｇ、前端面１１ａ及び左右両側端面１１ｂ，１１ｂから、棚板１１の外部に向かって照射される。
【００３５】
同様に、下方に向けて進行した照光Ｋ２は、反射体２５により反射して下方の棚板１１の後端面１１ｃに向けて略水平に進行し、支持板１２の前面側に向かって棚板１１内部を進入して、棚板１１の上面１１ｆ、下面１１ｇ、前端面１１ａ及び左右両側端面１１ｂ，１１ｂから、棚板１１の外部に向かって照射される。このように、複数の反射体２３〜２５を設けることで、発光体１３ａから発せられる光Ｋを任意の方向に進行させることができる。
【００３６】
図５に示すように、棚板１１の上面１１ｆ、下面１１ｇから外部に照射された光は、収納凹部１０内を明るく照らすようになっている。また、棚板１１の左右の両側端面１１ｂ，１１ｂは、仕切板７のスリット孔７ａから所定長突出されており、棚板１１の側端面１１ｂから外部に照射された光は、収納凹部１０に隣接する収納部５内部を明るく照らすようになっている。
【００３７】
以上、本実施例におけるキッチンカウンタ１では、仕切板７によって仕切られた複数の収納部５，１０のうち少なくとも１つの収納凹部１０に、導光板で形成された棚板１１が配置されるとともに、棚板１１が設けられた収納凹部１０を照明する照明部１３が、棚板１１の後端面１１ｃを照明可能に設けられ、収納凹部１０と他の収納部１０とを仕切る仕切板７には、棚板１１内の光を他の収納部５に導光させる導光部としてのスリット孔７ａが設けられていることで、棚板１１を媒介して導かれる光が、収納凹部１０だけでなく、仕切板７のスリット孔７ａを介して隣接する他の収納部５に届くようになるため、仕切板７により仕切られた複数の収納部５，１０内それぞれに照明具１３を設けることなく、１つの収納凹部１０を照明する照明具１３のみで、隣接する他の収納部５内を明るくすることができ、照明具１３に係る電力の省電力化を図ることができる。尚、ここでいう「棚板の側端面」とは、棚板１１における左右の両側端面１１ｂ，１１ｂのみならず、棚板１１の前端面１１ａや後端面１１ｃを含む棚板１１の側周端面全体を示しており、照明具１３は棚板１１の前端面１１ａ、側端面１１ｂ、後端面１１ｃのいずれかの面を照明可能に設けられていればよい。
【００３８】
また、仕切板７を貫通するスリット孔７ａが設けられ、このスリット孔７ａ内に棚板１１の側端部（側端面１１ｂ）が差し込まれていることで、仕切板７によって棚板１１の側端部を固定的に支持できるとともに、棚板１１の側端面１１ｂから照射される光が仕切板７によって遮蔽されることなく、隣接する収納部５内に届くようになる。
【００３９】
また、棚板１１の側端面１１ｂが、光拡散部としての粗面に形成されていることで、棚板１１の側端面１１ｂから外部に照射される光が、粗面によって拡散されるので、収納部５全体を明るく照らすことができる。
【００４０】
尚、図５中の部分拡大図に示すように、棚板１１の左右両側端面１１ｂが、正面視で所定の曲率を有する略ラウンド形状に形成されていることで、側端面１１ｂの粗面によって拡散された光が、側端面１１ｂから上下方向の所定範囲に渡って照射されるようになり、収納部５内部全体を明るく照らすことができる。
【００４１】
また、収納凹部１０には、２枚の棚板１１，１１が設けられ、単一の照明具１３が２枚の棚板１１，１１の側端面１１ｂに向かって発光していることで、単一である照明具１３の設置手間やメンテナンスを簡便にできるとともに、２枚の棚板１１，１１を効率よく照らすことができる。更に、収納部５，１０の設置数よりも照明具１３の設置数を減らせるので、キッチンカウンタ１の製造コストが低減される。
【実施例２】
【００４２】
次に、実施例２に係る収納家具としてのキッチンカウンタ１’につき、図６及び図７を参照して説明する。尚、前記実施例１に示される構成部分と同一構成部分に付いては同一符号を付して重複する説明を省略する。図６は、実施例２におけるキッチンカウンタ１’を示す斜視図であり、図７は、キッチンカウンタ１’を示す正面図である。
【００４３】
図６に示すように、キッチンカウンタ１’内部を区画する区画板８が設けられ、キッチンカウンタ１’の収納側Ｂには、天板２と区画板８と外側板６と仕切板７により仕切られて形成された３つの収納凹部１０’，１０’，１０’が設けられている。尚、中央の収納凹部１０’には、２枚の棚板１１’が配置され、左右の収納凹部１０’には、３枚の棚板１１’が配置されている。
【００４４】
図７に示すように、中央の収納凹部１０’及び左右の収納凹部１０’に配置されている棚板１１’同士は、互いの高さ位置が段違いになるように仕切板７’に対して交互に配置されている。すなわち中央の収納凹部１０’に配置される棚板１１’は、左右の収納凹部１０’に配置される棚板１１，１１同士の上下間における中央位置に配置されている。
【００４５】
また、実施例２における仕切板７’は透光性部材としての透明性を備えるガラス板から構成されている。尚、本発明の透光性部材はガラス板に限られず、例えば、アクリル板若しくはプラスチック板等であってもよく、板の素材については特に限定されるものではない。更に、棚板１１’は前記実施例１と同様に導光板としてのガラス板から構成されている。
【００４６】
図７の部分拡大図に示すように、実施例２における仕切板７’には、前記実施例１の仕切板７のスリット孔７ａが形成されておらず、その代わり仕切板７’棚板１１’の側端部を支持する凸部７ｂ’が形成されている。収納凹部１０’内に配置された棚板１１’は、側端面１１ｂ’が仕切板７’に当接された状態で、その側端部が凸部７ｂ’に支持されるようになっている。
【００４７】
尚、中央の収納凹部１０’の２枚の棚板１１’を照射するために用いられている照明具１３は前記実施例１と同様に反射体２３〜２５を用いた照明具１３が使用されている（図３及び図４参照）。また、左右の収納凹部１０’の３枚の棚板１１’を照射するために用いられている照明具１３については、上段及び中段の２枚の棚板１１’は、前記実施例１と同様の照明具１３及び反射体２３〜２５によって照明されるとともに、下段の１枚の棚板１１’は、前記実施例１と異なり、発光体１３ａが直接棚板１１’の後端面１１ｃを向くように設けられた照明具（図示略）によって照明されている。
【００４８】
図７に示すように、各々の棚板１１’の後端面１１ｃから入射した光は、棚板１１’の上面１１ｆ、下面１１ｇの両面を反射して屈折若しくは外部に向かって透過を繰り返しながら、棚板１１’の上面１１ｆ、下面１１ｇ、前端面１１ａ及び左右両側端面１１ｂ’，１１ｂ’から、棚板１１’の外部に向かって照射される。側端面１１ｂ’から外部に照射される光は、透光部材としての仕切板７’を透過し、仕切板７’によって隔てられた隣接する収納凹部１０’内に届くようになっている（図７部分拡大図参照）。
【００４９】
以上、実施例２におけるキッチンカウンタ１’では、仕切板７’が透光性部材にて形成されることで、本発明の導光部が構成されており、そのため棚板１１’から外部に照射される光が、仕切板７’を通過して隣接する収納凹部１０’内に届くようになり、該光が仕切板７’によって遮蔽されることを防止できる。
【００５０】
尚、本実施例２では、仕切板７’の全てが透光性部材にて形成されることで、導光部を構成しているが、本発明の導光部はこれに限ることなく、例えば、前記実施例１と同様な仕切板７の一部を貫通するスリット孔７ａに透光性部材としてのガラス窓部を形成して、このガラス窓部を導光部とすることで、棚板１１’の側端面１１ｂ’の光を隣接する収納部に届かせるようにしてもよい。
【００５１】
また、中央の収納凹部１０’に隣接する左右の収納凹部１０’にも棚板１１’が配置され、一方の収納凹部１０’に配置される棚板１１’と、他方の収納凹部１０’に配置される棚板１１’とが段違いになるように配置されていることで、一方の収納凹部１０’の棚板１１’の側端面１１ｂ’から照射される光が、他方の収納凹部１０’の棚板１１’の側端面１１ｂ’により遮蔽されることなく、他方の収納凹部１０’内に届くようになる。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、前記実施例では、収納家具としてアイランド式のキッチンカウンタ１が設けられていたが、仕切板７，７によって仕切られた複数の収納部５，１０が設けられた収納家具であれば、収納品目若しくは開き扉等の収納家具の用途・仕様は本実施例に限られず、例えば、飾り戸棚でもよいし、書棚でもよい。
【００５４】
また、前記実施例では、単一の照明手段１３が、棚板１１の後端面１１ｃ側に設けられ、棚板１１の後端面１１ｃに向かって発光しているが、例えば、照明手段１３は、棚板１１の左右の側端面１１ｂ側に設けられ、棚板１１の左右の側端面１１ｂに向かって発光してもよいし、照明手段１３は、棚板１１の前端面１１ａ側に設けられ、棚板１１の前端面１１ａに向かって発光してもよい。
【００５５】
また、前記実施例では、照明具１３が棚板１１の後端面１１ｃの左右方向の全体を照明することで、棚板１１内に光を入射しているが、本発明はこれに限定されるものではなく、棚板１１の後端面１１ｃにおける一部分、例えば、後端面１１ｃの左右方向の中央部のみに光を入射させるように照明具１３を構成してもよく、この場合、棚板１１の後端面１１ｃにおける照明具１３が配置されていない部位からも光が棚板１１の外部に照射されるようになる。更にこの場合、後端面１１ｃの一部を区画板８に形成されたスリット孔（導光部）より後方に突出させ、キッチン側Ａに設けられた収納部内に光が届くように構成してもよい。
【００５６】
尚、前記実施例における照明手段としての発光体１３ａは、必ずしも発光ダイオードに限定されるものではなく、例えば、蛍光灯、電球等、他の公知の発光体であってもよい。また、発光体１３ａを点灯及び消灯させるスイッチ１８は、必ずしも本実施例のタッチ式に限られず、例えばキッチン使用者の手などを検知して制御するセンサ式であってもよいし、収納部５に設けられた開閉扉５ａの開閉に応じて発光体１３ａを点灯及び消灯させるようなスイッチであってもよい。
【図面の簡単な説明】
【００５７】
【図１】実施例１におけるキッチンカウンタを示す斜視図である。
【図２】（ａ）は、棚板を示す平面図であり、（ｂ）は、棚板を示す側面図である。
【図３】図１におけるキッチンカウンタを示すＣ−Ｃ縦断側面図である。
【図４】図３における部分拡大側断面図である。
【図５】図１におけるキッチンカウンタを示すＤ−Ｄ縦断正面図である。
【図６】実施例２におけるキッチンカウンタを示す斜視図である。
【図７】キッチンカウンタを示す正面図である。
【符号の説明】
【００５８】
１，１’          キッチンカウンタ（収納家具）
２                天板
２ａ              調理部
３                シンク
４                コンロ
５                収納部
５ａ              開閉扉
６                外側板
７                仕切板
７’              仕切板（導光部，透光性部材）
７ａ              スリット孔（導光部，貫通孔）
７ｂ’            凸部
８                区画板
９                底板
１０，１０’      収納凹部（収納部）
１１，１１’      棚板
１１ａ            前端面
１１ｂ，１１ｂ’  側端面
１１ｃ            後端面
１１ｅ            段部
１１ｆ            上面
１１ｇ            下面
１２              支持板
１２ａ            スリット孔
１３              照明具（照明手段）
１３ａ            発光体（照明手段）
１３ｂ            保持具
１５ａ            中空部
１８              スイッチ
２３、２４、２５  反射体（照明手段）
４２              母材
４２ａ〜４２ｄ    傾斜面
４２ｅ            膨出部
Ａ                キッチン側
Ｂ                収納側
Ｋ                照光
【図１】
2008055060.tif 000003
【図２】
2008055060.tif 000004
【図３】
2008055060.tif 000005
【図４】
2008055060.tif 000006
【図５】
2008055060.tif 000007
【図６】
2008055060.tif 000008
【図７】
2008055060.tif 000009